(57)【要約】  【課題】机上面から静電気を放電させる机において、外観保持や加工コスト抑制を図る。  【手段】天板２は、スチール製の基板５９とその上面に接着したメラミン化粧板６０とを備えている。メラミン化粧板６０の表層は導電層６０″になっている。基板５９及びメラミン化粧板６０の前端部は後向きに延びる巻き込み部５９ｃ，６０ａになっている。メラミン化粧板６０の巻き込み部６０ａを、金属製脚３における上アーム３ｃに導電性両面テープ６４及び抵抗体６５を介して当接させる。静電気は抵抗体６５及び導電性両面テープ６４を介して脚３に放電され、脚からアースされる。【選択図】      図９
2005102912.tif 000002
【特許請求の範囲】
【請求項１】
基板の上面にメラミン樹脂等の硬質樹脂製化粧板が積層配置された天板を備えており、前記化粧板の少なくとも表層を導電層となしている什器であって、
前記化粧板の導電層を、上向きに露出した部分を除いた部分においてアース手段に電気的に導通させている、
天板付き什器。
【請求項２】
前記化粧板の周縁のうち少なくとも一部が下面側に回り込んだ巻き込み部となっており、このため、前記化粧板の導電層は巻き込み部の箇所で下向きに露出しており、この化粧板の巻き込み部を、金属製脚等の金属製支持手段に電気的に導通した状態で支持することにより、金属製支持手段を前記アース手段に兼用している、
請求項１に記載した天板付き什器。
【請求項３】
前記天板における化粧板の巻き込み部と金属製支持手段との間に、導電性素材と抵抗体とのうち少なくとも何れか一方または両方を介在させている、
請求項２に記載した天板付き什器。
【請求項４】
前記金属製支持手段は、中空状支柱部を有するスチール製の脚であって、この脚の中空状支柱部内に、プラグの差し込み口を外側に露出させたコンセントを内蔵しており、更に、前記コンセントに接続された状態で脚の外側に引き出されている電源ケーブルにはアース線が埋設されており、このアース線と前記化粧板の巻き込み部とを、脚を介して又は導電線を介して電気的に接続している、
請求項１〜請求項３のうちの何れかに記載した天板付き什器としての机。
【発明の詳細な説明】
【技術分野】
【０００１】
本発明は、机のように天板を備えた什器に関する。より正確には、静電気対策を施した天板付き什器に関するものである。
【背景技術】
【０００２】
様々の理由により、人や什器類に静電気が発生し帯電する。例えば人の場合、身体の表面に静電気が発生して帯電したり、衣服の摩擦によって静電気が発生して当該衣服又は皮膚の表面に帯電したりすることは日常経験することである。特に冬場の乾燥した時期には静電気が大量に発生しやすい。
【０００３】
他方、近年のオフィスではパソコンやＣＡＤ、或いはオンライン端末のようなＯＡ機器が多用されているが、これらＯＡ機器のマウスやキーボードを机上で使用するにおいて、人に静電気が帯電しているとその静電気がマウスやキーボードを伝ってＯＡ機器の回路に流れ込み、甚だしい場合は回路を損傷してしまうことがあった。
【０００４】
人や衣服に帯電していなくても、天板自体に静電気が帯電したり、机上に設置した機器や装置類に発生した静電気が天板上に漏洩したり、或いは、化繊製カーペット床に帯電した静電気が脚や人を伝って天板上に伝わって天板上に滞留したりというように、様々の原因で天板上に静電気が帯電することがあり、当然ながら、この場合もＯＡ機器や通信情報機器に悪影響を与えたり、机上に置いた記録媒体に悪影響を与えたりすることがある。
【０００５】
また、近年、携帯電話機が普及しているが、携帯電話機に起因した静電気の発生が一部の研究者から指摘されている。
【０００６】
他方、事務用の机の表面は美観保持と傷付き防止との点からメラミン樹脂製の化粧板で構成されていることが多いが、机上面での帯電防止のために、メラミン化粧板の上層を導電層として、この導電層をアースすることが行われている。その具体的構成を図１７に示している。
【０００７】
図１７のうち（Ａ）は天板８０の後部コーナー部の平面図、（Ｂ）は（Ａ）のＢ−Ｂ視断面図であり、この図に示すように、天板８０は、スチール製基板８１と、その上面に接着したメラミン化粧板８２とを備えており、メラミン化粧板８２は、基層８２ａと表面の導電層８２ｂとから成っている。
【０００８】
そして、メラミン化粧板８２の表面に端子８３をビス８４で固定し、端子８３にはアース線８５を接続して、かつ、端子８３を合成樹脂製のキャップ８６で覆っている。キャップ８６はビス８４の頭の縁に係止している。
【０００９】
アース線８５の途中部には棒状等の固定抵抗体８７を介挿している。これは、天板８０からの放電を緩やかに行うことにより、例えば、帯電した人が天板・に触れた際に静静電気が瞬間的に放電されて人に不快感を与えることを防止すること、及び、落雷等の様々な理由によって電流が天板８０に逆流することを防止するためである。
【００１０】
なお、導電層８２ｂの電気抵抗は一般に１０5 〜１０8 Ω程度、抵抗体８７の抵抗率は一般に１０6 Ω程度に設定されている。
【発明の開示】
【発明が解決しようとする課題】
【００１１】
このように導電層８２にアース線９５を接続すると、静電気対策としての機能は果たしていると言える。
【００１２】
しかし、この従来技術には、(a).キャップ８６及びアース線８５が机上に露出するため美観に劣る、(b).机上に物を置くに際して邪魔になることがある、(c).机上作業に際して物が引っ掛かって邪魔になったり、物が当たってキャップ８６を破損することがある、(d).アース線８５に物が引っ掛かって千切れることがある、(e).天板８０に穴空け加工及びタップ立ての加工が必要になって加工コストが嵩む、(f).抵抗体８５にアース線８５を接続する作業が面倒である、といった問題があった。
【００１３】
本願発明は、このような現状を改善することを課題とするものである。
【課題を解決するための手段】
【００１４】
本願発明は幾つかの局面を備えている。請求項１の発明では、基板の上面にメラミン樹脂等の硬質樹脂製化粧板が積層配置された天板を備えており、前記化粧板の少なくとも表層を導電層となしている什器において、前記化粧板の導電層を、上向きに露出した部分を除いた部分においてアース手段に電気的に導通させている。
【００１５】
請求項２の発明では、請求項１において、前記化粧板の周縁のうち少なくとも一部が下面側に回り込んだ巻き込み部（折り返し部と言っても良い）となっており、このため、前記化粧板の導電層は巻き込み部の箇所で下向きに露出している。
【００１６】
そして、この化粧板の巻き込み部を、金属製脚等の金属製支持手段に電気的に導通した状態で支持することにより、金属製支持手段を前記アース手段に兼用している。この場合、請求項３のように、前記天板における化粧板の巻き込み部と金属製支持手段との間に、導電性素材と抵抗体とのうち少なくとも何れか一方または両方を介在させると好適である。
【００１７】
ところで、事務用等の机において、脚はスチール製であることが多く、かつ、中空状支柱部を備えていることが多い。そこで、請求項４では、脚の中空状支柱部に、プラグの差し込み口を外側に露出させたコンセントを内蔵しており、更に、前記コンセントに接続された状態で脚の外側に引き出されている電源ケーブルにはアース線が埋設されており、このアース線と前記化粧板の巻き込み部とを、脚を介して又は導電線を介して電気的に接続している。
【発明の効果】
【００１８】
本願発明によると、化粧板の導電層からアースをとる部分（すなわち放電部）は天板の表面には存在しないため、美観の問題や物を置くに際して邪魔になる問題、机上に置いた物が引っ掛かって邪魔になる問題は皆無である。また、従来のキャップはそもそも不要であるため、物がキャップに当たってキャップが破損するという事故も当然ながら皆無となる。
【００１９】
請求項２のように構成すると、天板を脚等の支持体に取付けるだけで導電層がアースされるため（換言すると、什器を構成する金属製部材をアース手段に兼用できるため）、穴空け加工やタップ立ての加工は不要であり、このため加工に手間がかかることを防止できる。また、従来のアース線は不要であるため、物がアース線が引っ掛かってアース線が千切れるという事故も生じない。
【００２０】
更に、請求項３のように構成すると、抵抗体の接続作業は不要であるため、什器の組み立て作業の手間を増大することなく、天板からの急激放電や天板への逆流を的確に防止できる。
【００２１】
請求項４のように構成すると、コンセントへの電源ケーブルに埋設したアース線を利用して机上を的確にアースできるため、構造を複雑化することなくアース機能を確実に発揮することができる。
【発明を実施するための最良の形態】
【００２２】
次に、本発明の実施形態を図面に基づいて説明する。
【００２３】
(1).第１実施形態（図１〜図11）
図１〜図１１では第１実施形態を示している。このうち図１（Ａ）は全体の斜視図、図１（Ｂ）は天板を取り外した状態での斜視図、図２は分離斜視図であり、まず、これらの図に基づいて机の概要を説明する。
【００２４】
(a).概要
机１は、平面視長方形の天板２と、左右一対の脚３とを備えている。一点鎖線で示すように、左右脚３の背面に幕板４を取付けることも可能である。天板２と脚３と幕板４は、それぞれ全部又は大部分がスチール製（金属板製）である。
【００２５】
天板２の後端と幕板４の上端部との間には配線用空間６が空いている。一点鎖線で示すように、天板２の下方の空間には移動式のワゴン（袖キャビネット）７を配置できる。
【００２６】
天板２の上面には電子機器の一例としてのパソコンのディスプレイ８やキーボード９及びマウス１０を載せており、また、天板２の下方の床面のうち左脚３に近接した部分にパソコンの本体１１を設置している（本体１１は右脚３の側に寄せて設置しても良いし、机上に設置しても良い）。
【００２７】
左右の脚３は、中空の支柱部３ａと、この支柱部３ａの下端部から前向きに延びる下アーム３ｂと、支柱部３ａの上端部から前向きに延びる上アーム３ｃとで側面視前向き開口コ字状に形成されている（いわゆるＬ形脚である）。そして、左右脚３の支柱部３ａの前面板に前向き開口の窓穴１８を形成し、一方の脚（左脚）３の内部には窓穴１８を介してコネクタユニット１９を嵌め込み装着し、他方の脚（右脚）３の窓穴１８はカバー２１で塞いでいる。
【００２８】
左右の脚３に窓穴１８を空けているのは、何れか一方又は両方の脚３にコネクタユニット１９を内蔵できるようにするためである。勿論、いずれか一方の脚３だけにコネクタユニット１９を内蔵することも可能である。
【００２９】
(b).コネクタユニット
次に、図３〜図７も参照してコネクタユニット１９の詳細を説明する。図３はコネクタユニット１９を設けている脚３の部分斜視図、図４は机１の平断面図、図５は図３の V-V視断面図であり、（Ａ）は上部を示す図、（Ｂ）は下部を示す図、図６は机の縦断側面図である。
【００３０】
コネクタユニット１９は、脚３の支柱部３ａに入り込む直方体状のケース２２を備えている。ケース２２は例えば鋼板のような金属板製であり、その内部に、電源用コンセント部２３と通信用コネクタ２４、及び、これらに対する雷の影響を吸収するための避雷回路部２５，２６とを受けている。回路部２５，２６は基板に設けている。
【００３１】
本実施形態では、電源用コンセント部２３には４つのプラグ挿入口２３ａが空いており、通信用コネクタ部２４には２つのプラグ挿入口２４ａが空いているが、プラグ挿入口２３ａ，２４ａの口数は任意に設定できる。
【００３２】
本実施形態では、電源用コンセント部２４のプラグ挿入口２４ａは円弧状になっており、プラグ２７を差し込んで若干の角度だけ回転させることによって当該プラグ２７が抜けないようになっている。もちろん、プラグ挿入口２４ａはプラグ２７の形状に応じて設定したら良く、単にプラグ２７を抜き差しするだけの形態でも良い。
【００３３】
コネクタユニット１９は、ケース２２に固定された合成樹脂製（金属製でも良い）のフロントパネル２８を備えており、フロントパネル２８の上下両端部を、脚３の内部に形成した受け片２９にねじ３０で固定している。
【００３４】
フロントパネル２８の上部には、２個の警報ランプ３１と１個ずつの警報ブザー３２及び消音スイッチ３３とが露出している。いずれか一方の警報ランプ３１が点灯すると計報ブザー３２も鳴動する。また、消音スイッチ３３を押すと警報ブザーの鳴動は停止する。
【００３５】
電源用コンセント部２３や通信用コネクタ部２４はフロントパネル２８に裏側から嵌め込まれている。また、電源用コンセント部２３や通信用コネクタ部２４等はベース板３４に固定されており、ベース板３４に、電源用避雷回路部２５と通信用避雷回路部２６とを設けている。電源用避雷回路部２５と通信用避雷回路部２６とには、それぞれ外部入力ケーブル３７，３８が接続されている。
【００３６】
電源用外部入力ケーブル３７にはアース線３７ｂが埋設されている。このアース線３７ａはケース２２の内部で露出しており、この露出部を例えばケース２２の適当な部位にねじ３７ｃで固定している。このため、アース線３７ｂはケース２２に電気的に導通している。なお、ケース２２の内面が塗装されている場合は、アース線３７ｂの固定箇所は塗装を剥がしておく必要がある。
【００３７】
ケース２２を脚３の受け片２９にねじ３０で固定するにおいて、ケース２２に受け片２９に重なるリップ部２２ａを設け、リップ部２２ａにねじ３０をねじ込んでいる。このため、脚３の全体とケース２２とは電気的に導通している。
【００３８】
そして、電源用外部入力ケーブル３７の端部に接続したプラグ３７ｄには、建物等のコンセントに設けているアース穴（図示せず）に接続しうるアース端子３７ｅを設けている。従って、脚３の全体とアース穴とは電気的に導通している。脚３とアース線３７ａとの導通手段としては、アース線３７ａを脚３の内面に例えばテープや導電性接着剤にて直接に接続しても良い。
【００３９】
図５（Ｂ）に示すように、脚３の下面板４０にケーブル挿通穴４１を形成している。このケーブル挿通穴４１は、電源用外部入力ケーブル３７に接続したプラグ３７ａを抜き差しできる程度の大きさであるのが好ましい。ケーブル挿通穴４１は脚３の後面板３９に空けても良いし、脚３の側板に空けても良い。
【００４０】
図５（Ｂ）に示すように、外部入力ケーブル３７，３８の途中のうちコネクタユニット１９に近い部分に挿脱自在な一対ずつの中間コネクタ３７ａ，３８ａを設けておくと、コネクタユニット１９を脚３から取り外してから中間コネクタ３７ａ，３８ａの接続を解除することにより、コネクタユニット１９だけを取り外して持ち運びできるため、部品の交換や点検等の作業がいっそう容易になって好適である。
【００４１】
(c).使用例
図７では机１の使用例を示している。コネクタユニット１９の電源用外部入力ケーブル３７は商用電源のコンセント４８に接続されている。パソコンの本体１１とディスプレイ８との電源ケーブル４９，５０はコネクタユニット１９に接続されている。
【００４２】
コネクタユニット１９の通信用外部入力ケーブル３８は建物の元コネクタ５１に接続されており、かつ、パソコンの本体１１の通信用入力ポート５２とコネクタユニット１９の通信用コネクタ部２４とが第１通信用中間ケーブル５３で接続されており、更に、本体１１とディスプレイ８との通信用端子は第２通信用中間ケーブル５４で接続されている。
【００４３】
そして、コネクタユニット１９はスチールよりなる脚３の中空部に内蔵されているから、室外から高エネルギーの電磁波が伝播したり、室内の電器機器等から電磁波ノイズが発生したりしても、それら高エネルギー電磁波やノイズが避雷回路部２５，２６に伝わることを遮断して、パソコンに障害が現れることを防止することができ、また、コネクタユニット１９も保護される。
【００４４】
外部入力用ケーブル３７，３８の一部も脚３で覆われるため、それら外部入力用ケーブル３７，３８に高エネルギー電磁波やノイズが伝播することも抑制できる。
【００４５】
なお、図１に一点鎖線で部分的に示すように、脚３に、コネクタユニット１９及びケーブル類Ｃを覆うカバー５７を着脱自在に装着することも可能である。脚３の支柱部３ａにコンセント２３のみを設けても良い。また、コンセント２３を脚の外面に配置することも可能である。
【００４６】
(d).机の上部の構造
次に、図８以下の図面を参照して机１の上部構造を説明する。図８のうち（Ａ）は天板２の側部の平面図、（Ｂ）は（Ａ）をＢ−Ｂ方向から見た分離側断面図、図９のうち（Ａ）は要部の分離斜視図、（Ｂ）は（Ａ）のＢ−Ｂ視拡大断面図、図１０は要部の一部破断平面図、図１１は図１０のXI−XI視断面図である。
【００４７】
例えば図９（Ａ）から理解できるように、脚３の上アーム３ｃは上向き開口した樋状に形成されており、その上端の開口縁には、先端に位置した左右の第１フランジ５６と、若干の間隔を空けてその後方に位置した第２フランジ５７とが内向きに形成されている。
【００４８】
また、脚３の上アーム３ｃは前向きに開口しており、この前面に合成樹脂製のフロントキャップ５８を嵌め込んでいる。図１１に示すように、フロントキャップ５８の下面には爪５９を設けて、これを下アーム３ｃの底板に形成した係合穴６０に係合させている。フロントキャップ５８の上面には第１フランジ５６に係合する上爪を設けているが、これは省略している。
【００４９】
フロントキャップ５６のうち上アーム３ｃの前端から手前に露出している部分の上面は第１フランジ５６の上面と同一面を成している。
【００５０】
天板２は、スチール製（金属板製）の基板５９と、その上面に接着したメラミン化粧板６０と、基板５９の下面に重なって左右方向に延びる複数の補強フレーム７０と、左右のサイドエッジ６２とを備えている。補強フレーム６１はスチール製であり、基板６９に溶接されている。従って、基板６９と各補強フレーム６１は電気的に導通している。サイドエッジ６２は合成樹脂製である。なお、図６では補強フレーム６１の形状と配置箇所は簡略して表示している。
【００５１】
基板６９の左右両側部は下向きに折曲げられており、この側板６９ａにサイドエッジ６２が取付けられている。側板６９ａにはサイドエッジ６２を取付けるための穴６３が多数空いている。また、側板６９ａの下端には内向き水平片５９ｂが折曲げ形成されている。
【００５２】
詳細は省略するが、天板２の左右側部の下面に係合爪を設ける一方、脚３における上アーム３ｃの上面には前記係合爪が嵌まる係合部を設けており、これら係合爪を係合部に嵌め込むことにより、天板２を脚３に取付けている。ねじ止め等の他の方法で固定しても良い。
【００５３】
天板２における基板５９の前端部は下向きに折り返された巻き込み部５９ｃとなっており、このため、メラミン化粧板６０の前端縁にも、後方に向けて延びる巻き込み部６０ａが形成されている。そして、メラミン化粧板６０の巻き込み部６０ａが脚３における上アーム３ｃの第１フランジ５６とフロントキャップ５８とに跨がった状態で重なるように設定している。
【００５４】
なお、基板５９及びメラミン化粧板６０の前端部を後方に巻き込んでいるのは、天板２に適度の厚さを持たせて強度保持及び美観を図るためである。なお、天板２の前面にメラミン化粧板６０を露出させずに合成樹脂製のフロントエッジを設けることも可能である。
【００５５】
図９（Ｂ）に示すように、メラミン化粧板６０は、コア紙にメラミン樹脂を含浸させて成る基層６０′と、基層６０′の表面に一体成形した導電層６０″とからなっている。導電層６０″は、例えば、カーボン繊維等の導電体を漉き込んだ表層紙に熱硬化性樹脂を含浸させることによって形成できる。
【００５６】
メラミン化粧板６０の表面は導電層６０″で構成されているから、巻き込み部６０ａにおいて導電層６０″は下方に露出している。そして、脚３における上アーム３ｃの第１フランジ５６及びフロントキャップ５８とに跨がった状態で導電性両面テープ６４を接着し、更に、導電性両面テープ６４の上面にテープ状の抵抗体（固定抵抗テープ）６５を接着し、この抵抗体６５の上面にメラミン化粧板６０の巻き込み部６０ａを重ねている。
【００５７】
脚３の上アーム３ｃが塗装されている場合は、第１フランジ５６の上面は塗装を剥がしておく必要がある（塗装を剥がしている状態を図９では網かけによって表示している）。導電性両面テープ６４と抵抗体６５は片方の上アーム３ｃに設けても良いし、両方の上アーム３ｃに設けても良い。
【００５８】
以上の説明から理解できるように、メラミン化粧板６０の導電層６０″は抵抗体６５及び導電性両面テープ６４を介して脚３に電気的に導通しており、かつ、脚３はアース線３７ｂを介して外部のアースに接続されている。このため、矢印Ｅで示すように、机上面の静電気を的確に放電して各種の障害を防止できる。また、抵抗体６５の存在により、急激な放電による各種の問題や外部からの電流の逆流を防止できるのである。
【００５９】
本実施形態のように抵抗体６５を導電性両面テープ６４にて脚３の上アーム３ｃに取付けておくと、配線作業が不要であり、しかも、机１の組み立てに際して抵抗体６５の脱落がない利点がある。抵抗体６５は、導電性両面テープ６４を介してメラミン化粧板６０の巻き込み部６０ａに取付けておいても良い。
【００６０】
なお、いずれの場合も、抵抗体６５のみが巻き込み部６０ａに接触して導電性両面テープ６４は巻き込み部６０ａに接触しないように、抵抗体６５で導電性両面テープ６４が完全に覆われる態様にする必要がある。
【００６１】
導電性両面テープ６４を使用せずに、抵抗体６５を導電性接着剤にて上アーム３ｃ又は巻き込み部６０ａに取付けておいても良い。導電性両面テープ６４は上アーム３ｃの第２フランジ５７に重ねても良い。
【００６２】
(2).第２実施形態（図12）
図１２では第２実施形態を示している。この実施形態では、メラミン化粧板６０における巻き込み部６０の下面（導電層）と基板５９における巻き込み部５９ｃの内面とを導電性ジョイント６６で電気的に接続し、更に、基板５９の内向き水平片５９ｂと上アーム３ｃの上面とを電気的に導通させている。導電性ジョイント６６とメラミン化粧板６０との間にテープ状抵抗体を介在させても良い。
【００６３】
導電性ジョイント６６は金属板（例えば銅板）よりなるクリップ体でも良いし、導電製テープでも良い。或いは、鰐口でも良い。一点鎖線導電製ジョイント６６を鰐口として、これに接続されたケーブルをアース線６７（一点鎖線参照）としても良いのである。
【００６４】
(3).第３実施形態（図13）
図１３では第３実施形態を示している。この例では基板５９は木製であり、メラミン化粧板６０の巻き込み部６０ａは天板２の後部に形成されている。
【００６５】
そして、（Ａ）に示す例では、メラミン化粧板６０の巻き込み部６０ａとスチール製幕板４とが導電製クッション材６８を介して電気的に導通している。導電製クッション材６８に代えて又はこれに加えて抵抗体を配置しても良い。幕板４からは独自にアースしても良いし、脚３を介してアースしても良い。
【００６６】
（Ｂ）に示す例では、メラミン化粧板６０の巻き込み部６０ａにビス６９にてアース線６７を接続している。ビス６９に代えて粘着テープを使用することも可能である（この場合の粘着テープは導電性でなくてもよい）。
【００６７】
(4).第４実施形態（図14）
図１４では第４実施形態を示している。この実施形態では、サイドエッジ６２の内面に、メラミン化粧板６０における導電層６０″の端面と脚３の上アーム３ｃとに当接する導電層７１を設けることにより、導電層６０″と脚３とを電気的に導通させている。
【００６８】
脚３における上アーム３ｃの内向きフランジ５７には、サイドエッジ６２の姿勢を保持する起立片５７ａを設けている。一点鎖線で示すように、基板５９に側板５９ａを折曲げ形成しても良いのであり、この場合は、内向きフランジ５７の起立片５７ａは不要である。
【００６９】
(5).第５実施形態（図15）
図１５では第５実施形態を示している。この実施形態は、メラミン化粧板６０の導電層６０″と基板５９とを電気的に導通させて、基板５９をアース部材に利用したものである。
【００７０】
そして、（Ａ）に示す例では、メラミン化粧板６０の側縁を斜めにカットした傾斜状カット部７２を形成することにより、導電層６０″を下方に露出させ、更に、傾斜状カット部７２とサイドエッジ６３との間の部分に導電性接着剤７３を充填している。
【００７１】
傾斜状カット部７２はメラミン化粧板６０の左右縁の全長にわたって形成しても良いし、ごく一部に形成してもよい。リアエッジを備えている場合は、メラミン化粧板６０の後端縁に傾斜状カット部７２を形成しても良い。
【００７２】
（Ｂ）に示す例では、メラミン化粧板６０の基層６０′に小穴７４を空けておいて、この小穴７４に導電性接着剤７３を充填している。小穴７４は、メラミン化粧板６０の製造工程の前に空けておくのが好ましい。また、言うまでもないが、小穴７４はなるべくメラミン化粧板６０の縁部に設けるべきである。
【００７３】
(6).第６実施形態（図16）
机の一タイプとして、図１６に示すように、間仕切装置に兼用したものがある。すなわち、間仕切パネルを脚に兼用したのがある。この場合の天板２はブラケット７６を介して金属製支柱（縦フレーム）で支持されることが多い。従って、このタイプの机で静電気防止を図る場合は、例えば、メラミン化粧板６０を天板２の左右側部において下方に巻き込んで、その下面をブラケット７６に導通させたら良い。もちろん、ブラケット７６は支柱７７に電気的に導通させるなどしてアースする必要がある。
【００７４】
(7).その他
本発明は上記の実施形態の他にも様々に具体化することができる。例えば、天板の支持手段としてはスチール製の袖キャビネットを使用することもでき、この袖キャビネットをアース手段に兼用することも可能である。
【００７５】
また、本願発明は、机に限らず、天板を備えた什器に広く適用することかできる。
【図面の簡単な説明】
【００７６】
【図１】第１実施形態を示す図で、 (A)は全体の斜視図、 (B)は天板を取り外した状態での斜視図である。
【図２】分離斜視図である。
【図３】コネクタユニットを設けている脚の部分斜視図である。
【図４】机の平断面図である。
【図５】図３の V-V視断面図である。
【図６】机の概略縦断側面図である。
【図７】机の使用例を示す図である。
【図８】(A)は天板２側部の平面図、 (B)は分離側断面図である。
【図９】(A)は要部の分離斜視図、 (B)は (A)の B-B視拡大断面図である
【図１０】要部の一部破断平面図である。
【図１１】図１０のXI−XI視断面図である。
【図１２】第２実施形態を示す図である。
【図１３】第３実施形態を示す図である。
【図１４】第４実施形態を示す図である。
【図１５】第５実施形態を示す図である。
【図１６】第６実施形態を示す図である。
【図１７】従来例を示す図である。
【符号の説明】
【００７７】
１  机
２  天板
３  脚
１９  コネクタユニット
２２  コネクタユニットのケース
３７  電源用外部入力ケーブル
３７ａ  アース線
５６，５７  内向きフランジ
５９  基板
６０  メラミン化粧板
６０′  基層
６０″  導電層
５９ａ，６０ａ  巻き込み部
６４  導電性両面テープ
６５  テープ状の抵抗体
【図１】
2005102912.tif 000003
【図２】
2005102912.tif 000004
【図３】
2005102912.tif 000005
【図４】
2005102912.tif 000006
【図５】
2005102912.tif 000007
【図６】
2005102912.tif 000008
【図７】
2005102912.tif 000009
【図８】
2005102912.tif 000010
【図９】
2005102912.tif 000011
【図１０】
2005102912.tif 000012
【図１１】
2005102912.tif 000013
【図１２】
2005102912.tif 000014
【図１３】
2005102912.tif 000015
【図１４】
2005102912.tif 000016
【図１５】
2005102912.tif 000017
【図１６】
2005102912.tif 000018
【図１７】
2005102912.tif 000019